(57)【要約】【課題】媒体から読み取られる識別情報に対して、機能に関する設定情報と認証情報とを対応づけて記憶部に記憶させる処理を柔軟に行うことを可能とする、情報処理装置、システム、情報処理方法およびプログラムを提供する。【解決手段】ショートカット登録される各種の設定に係る設定情報は、ＩＣカード５のカード番号およびショートカット名と対応づけて、不揮発性メモリ２２に記憶される。不揮発性メモリ２２に設定情報がカード番号およびショートカット名と対応づけて記憶されている状態において、そのカード番号とユーザ名およびパスワードとを対応づけて不揮発性メモリ２２に記憶させる指示があると、カード番号がユーザ名およびパスワードと対応づけられて不揮発性メモリ２２に記憶される。【選択図】図１
2020141343.tif 000002
【特許請求の範囲】
【請求項１】
読取部と、
機能実行部と、
記憶部と、
制御部と、を備え、
前記制御部は、
前記読取部に媒体から識別情報を読み取らせる読取処理と、
前記機能実行部が実行する機能に関する設定情報の登録指示を受け付けた場合、前記設定情報と前記読取部が読み取った前記識別情報とを対応付けて前記記憶部に記憶させる第１記憶処理と、
ログインのための認証情報の登録指示を受け付けた場合、前記認証情報と前記設定情報と対応付けて前記記憶部に記憶されている前記識別情報とを対応付けて前記記憶部に記憶させる第２記憶処理と、を実行する、
ことを特徴とする、情報処理装置。
【請求項２】
請求項１に記載の情報処理装置であって、
前記制御部は、
前記記憶部に前記設定情報と前記識別情報とが対応付けて記憶され、且つ、前記記憶部に前記認証情報と前記識別情報とが対応付けて記憶された状態において、前記認証情報の登録解除指示を受け付けた場合、前記設定情報と前記識別情報との対応付けを解除せずに、前記認証情報と前記識別情報との対応付けを解除する解除処理を実行する、
ことを特徴とする、情報処理装置。
【請求項３】
請求項２に記載の情報処理装置であって、
前記記憶部に前記識別情報と対応付けて記憶されている前記設定情報が、前記認証情報と前記識別情報との対応付けを解除した状態に対して有効であるか否かを判断する第１判断処理と、
前記第１判断処理において否定判断した場合、前記解除処理の実行を制限する第１制限処理と、を実行する、
ことを特徴とする、情報処理装置。
【請求項４】
請求項２に記載の情報処理装置であって、
前記記憶部に前記識別情報と対応付けて記憶されている前記設定情報が、前記認証情報と前記識別情報との対応付けを解除した状態に対して有効であるか否かを判断する第１判断処理と、
前記第１判断処理において否定判断した場合、前記認証情報と前記識別情報との対応付けを解除すると前記設定情報が無効になることを報知する第１報知処理と、を実行する、
ことを特徴とする、情報処理装置。
【請求項５】
請求項１〜４の何れか一項に記載の情報処理装置であって、
ユーザインタフェースを更に備え、
前記制御部は、
前記第２記憶処理において、前記ユーザインタフェースから前記認証情報を受け付けてログイン状態にあるとき、前記認証情報の登録指示を受け付けた場合、前記ユーザインタフェースから受け付けた前記認証情報と前記識別情報とを対応付けて前記記憶部に記憶させる、
ことを特徴とする、情報処理装置。
【請求項６】
請求項１〜５のいずれか一項に記載の情報処理装置であって、
前記制御部は、
前記認証情報と前記識別情報とが前記記憶部に対応付けて記憶されているか否かを判断する第２判断処理と、
前記第２判断処理において肯定判断した場合、前記記憶部に記憶されている前記認証情報とは異なる前記認証情報と前記記憶部に記憶されている前記識別情報とを対応付けて記憶させることを制限する第２制限処理と、を実行する、
ことを特徴とする、情報処理装置。
【請求項７】
請求項１〜６のいずれか一項に記載の情報処理装置であって、
前記機能実行部は、原稿から画像を読取るスキャンエンジンを含み、
前記設定情報は、スキャンエンジンによって読み取る画像の解像度、レイアウト、拡縮条件、集約条件、カラー/モノクロ条件、ファイル形式及び出力先の少なくとも一つを指定する情報を含む、
ことを特徴とする、情報処理装置。
【請求項８】
請求項１〜７のいずれか一項に記載の情報処理装置であって、
前記機能実行部は、シートに画像を形成する画像形成エンジンを含み、
前記設定情報は、画像形成エンジンによって形成する画像の解像度、レイアウト、拡縮条件、集約条件、カラー/モノクロ条件及び部数の少なくとも一つを指定する情報を含む、
ことを特徴とする、情報処理装置。
【請求項９】
外部の媒体から識別情報を読み取る読取部と、
記憶部と、
制御部と、
機能実行部を備える情報処理装置と、を備える、システムであって、
前記制御部は、
前記読取部に前記媒体から前記識別情報を読み取らせる読取処理と、
前記機能実行部が実行する機能に関する設定情報の登録指示を受け付けた場合、前記設定情報と前記読取部が読み取った前記識別情報とを対応付けて前記記憶部に記憶させる第１記憶処理と、
ログインのための認証情報の登録指示を受け付けた場合、前記認証情報と前記記憶部に前記設定情報と対応付けて記憶されている前記識別情報とを対応付けて前記記憶部に記憶させる第２記憶処理と、を実行する、
ことを特徴とする、システム。
【請求項１０】
読取部と、
機能実行部と、
記憶部と、を備える情報処理装置における情報処理方法であって、
前記読取部に媒体から識別情報を読み取らせる読取処理と、
前記機能実行部が実行する機能に関する設定情報の登録指示を受け付けた場合、前記設定情報と前記読取部が読み取った前記識別情報とを対応付けて前記記憶部に記憶させる第１記憶処理と、
ログインのための認証情報の登録指示を受け付けた場合、前記認証情報と前記設定情報と対応付けて前記記憶部に記憶されている前記識別情報とを対応付けて前記記憶部に記憶させる第２記憶処理と、を含む、
ことを特徴とする、情報処理方法。
【請求項１１】
読取部と、
機能実行部と、
記憶部と、を備える情報処理装置のコンピュータにインストールされるプログラムであって、
前記コンピュータに、
前記読取部に媒体から識別情報を読み取らせる読取処理と、
前記機能実行部が実行する機能に関する設定情報の登録指示を受け付けた場合、前記設定情報と前記読取部が読み取った前記識別情報とを対応付けて前記記憶部に記憶させる第１記憶処理と、
ログインのための認証情報の登録指示を受け付けた場合、前記認証情報と前記設定情報と対応付けて前記記憶部に記憶されている前記識別情報とを対応付けて前記記憶部に記憶させる第２記憶処理と、を実行させる、
ことを特徴とする、プログラム。
【発明の詳細な説明】
【技術分野】
【０００１】
本発明は、画像処理装置などの情報処理装置、システム、情報処理装置で実行される情報処理方法、情報処理装置のコンピュータにインストールされるプログラムに関する。
【背景技術】
【０００２】
従来、スキャナやプリンタ、複合機（ＭＦＰ：Multi-Function Peripheral）などの画像処理装置には、ショートカット機能を有するものがある。ショートカット機能を有する画像処理装置では、スキャンなどの各種機能に関する設定が予め登録されて、機能の実行に際してその登録されている設定が呼び出される。
【０００３】
この設定の呼び出しに識別情報が記憶されたカードを媒体として用いる技術が提案されている（たとえば、特許文献１参照）。その技術では、機能に関する設定が識別情報と対応づけて登録、つまり画像処理装置のメモリに記憶されており、画像処理装置に備えられたカードリーダによりカードから識別情報が読み取られると、識別情報に対応づけられた設定が呼び出され、その設定に従って機能が実行される。
【先行技術文献】
【特許文献】
【０００４】
【特許文献１】特開２０１６−１００５９号公報
【発明の概要】
【発明が解決しようとする課題】
【０００５】
ところで、カードリーダを備える画像処理装置には、カードリーダによりカードから識別情報が読み取られると、識別情報に対応する認証情報が登録されている場合、ユーザに付与された権限の範囲内で機能の実行を許可するものがある。
【０００６】
本発明の目的は、媒体から読み取られる識別情報に対して、機能に関する設定情報と認証情報とを対応づけて記憶部に記憶させる処理を柔軟に行うことを可能とする、情報処理装置、システム、情報処理方法およびプログラムを提供することである。
【課題を解決するための手段】
【０００７】
前記の目的を達成するため、本発明の一の局面に係る情報処理装置は、読取部と、機能実行部と、記憶部と、制御部と、を備え、制御部は、前記読取部に前記媒体から前記識別情報を読み取らせる読取処理と、前記機能実行部が実行する機能に関する設定情報の登録指示を受け付けた場合、前記設定情報と前記読取部が読み取った前記識別情報とを対応付けて前記記憶部に記憶させる第１記憶処理と、ログインのための認証情報の登録指示を受け付けた場合、前記認証情報と前記設定情報と対応付けて前記記憶部に記憶されている前記識別情報とを対応付けて前記記憶部に記憶させる第２記憶処理と、を実行する、ことを特徴とする。
【０００８】
この構成によれば、記憶部に設定情報と識別情報とが対応付けて記憶されている状態において、更に、認証情報と識別情報とを対応付けて記憶させることができる。すなわち、柔軟に各情報を識別情報と対応付けて記憶させることができる。
【０００９】
なお、本発明は、情報処理装置の形態で実現できるだけでなく、たとえば、情報処理装置を含むシステム、情報処理装置における情報処理方法及び情報処理装置のコンピュータにインストールされるプログラムの形態で実現することもできる。
【発明の効果】
【００１０】
本発明によれば、媒体から読み取られる識別情報に対して、機能に関する設定情報と認証情報とを対応づけて記憶部に記憶させる処理を柔軟に行うことができる。
【図面の簡単な説明】
【００１１】
【図１】本発明の一実施形態に係るシステムの構成を示すブロック図である。
【図２】ショートカット登録された設定情報の一例を示す図である。
【図３】情報管理テーブルの一例を示す図である。
【図４Ａ】登録処理の流れを示すフローチャート（その１）である。
【図４Ｂ】登録処理の流れを示すフローチャート（その２）である。
【図４Ｃ】登録処理の流れを示すフローチャート（その３）である。
【図５】未ログイン画面の一例を示す図である。
【図６】ユーザメニュー画面の一例を示す図である。
【図７】ユーザ切替画面の一例を示す図である。
【図８】パスワード入力画面の一例を示す図である。
【図９】ログイン中画面の一例を示す図である。
【図１０】機能ロック画面の一例を示す図である。
【図１１】ショートカット選択画面の一例を示す図である。
【図１２】ショートカット画面の一例を示す図である。
【図１３】第１内容選択画面の一例を示す図である。
【図１４】第２内容選択画面の一例を示す図である。
【図１５】設定内容変更画面の一例を示す図である。
【図１６】設定内容確認画面の一例を示す図である。
【図１７】ショートカット選択画面の他の例（ショートカットキーが２個）を示す図である。
【図１８】カード登録画面の一例を示す図である。
【図１９】既使用通知画面の一例を示す図である。
【図２０】既登録通知画面の一例を示す図である。
【図２１】ログイン登録確認画面の一例を示す図である。
【発明を実施するための形態】
【００１２】
以下では、本発明の実施の形態について、添付図面を参照しつつ詳細に説明する。
【００１３】
＜システム構成＞
図１に示されるシステム１は、ＭＦＰ２（画像処理装置の一例）、ＭＦＰ２とＬＡＮ（Local Area Network）３を介して通信可能に接続されるＰＣ（Personal Computer）などの外部装置４およびＮＦＣ（Near Field Communication）による無線通信機能を有するＩＣカード５を（媒体の一例）含む。
【００１４】
ＭＦＰ２は、複数の基本機能を有している。複数の基本機能は、プリント機能、スキャン機能およびファックス機能に大別される。プリント機能は、画像データに係る画像をシートに形成する基本機能である。スキャン機能は、原稿を読み取って画像データを生成する基本機能である。ファックス機能は、シートに形成される画像の画像データを外部の機器との間で送受信する基本機能である。
【００１５】
ＭＦＰ２は、基本機能を使用した各種の機能（以下、この機能を「詳細機能」という。）を実行可能にするため、画像形成部１１（機能実行部、画像形成エンジンの一例）、画像読取部１２（機能実行部、スキャンエンジンの一例）、ＬＡＮインタフェース１３、ＦＡＸ（ファックス）インタフェース１４およびＵＳＢ（Universal Serial Bus）インタフェース１５を備えている。
【００１６】
画像形成部１１は、ＭＦＰ２の外殻をなす筐体内の搬送経路を搬送されるシートにカラー画像またはモノクロ画像を形成する機構（エンジン）である。画像形成部１１による画像形成の方式としては、電子写真方式、インクジェット方式サーマル方式等が採用される。
【００１７】
電子写真方式の画像形成エンジンは、感光体、感光体を露光して静電潜像を形成する露光装置、感光体上の静電潜像にトナーを供給して現像する現像装置、及び、現像された感光体上の画像をシートへ転写する転写装置等を有する。
【００１８】
インクジェット方式の画像形成エンジンは、インクを吐出するインクヘッド等を有する。
【００１９】
サーマル方式の画像形成エンジンは、感熱シートを加熱するサーマルヘッド等を有する。
【００２０】
画像読取部１２は、筐体に支持されるコンタクトガラス上の原稿をイメージセンサで読み取って、原稿のカラーまたはモノクロの画像データを生成する機構（エンジン）である。画像読取部１２による画像読取の方式は、コンタクトガラス上を通過する原稿を読み取る方式であってもよいし、コンタクトガラス上で静止した原稿を読み取る方式であってもよい。画像読取部１２は、ＣＣＤ（Charge Coupled Devices）、ＣＩＳ（Contact Image Sensor）等を有する。
【００２１】
ＬＡＮインタフェース１３は、ＬＡＮ３を経由したネットワーク通信のための回路などを備えている。ＬＡＮ３は、有線ＬＡＮまたは無線ＬＡＮで構成されていてもよいし、有線ＬＡＮおよび無線ＬＡＮの両方で構成されていてもよい。ＬＡＮ３は、インターネットに接続されていてもよいし、接続されていなくてもよいが、この実施形態では、インターネットに接続されている。
【００２２】
ＦＡＸインタフェース１４は、ファックス機能で使用される公衆電話回線との接続のためのインタフェースであり、モデムなどを備えている。
【００２３】
ＵＳＢインタフェース１５は、ＵＳＢメモリなどのＵＳＢデバイスとのデータ通信のためのインタフェースであり、ＵＳＢケーブルが接続されるＵＳＢコネクタおよびＵＳＢデバイスとのＵＳＢ接続を制御するＵＳＢコントローラなどを備えている。
【００２４】
また、ＭＦＰ２は、操作パネル１６（ユーザインタフェースの一例）およびＮＦＣインタフェース１７（読取部の一例）を備えている。
【００２５】
操作パネル１６は、タッチパネルであり、ユーザが操作および視認可能なように、筐体の外側に臨んで配置されている。操作パネル１６には、各種の情報やボタンなどの画像が表示される。ユーザが操作パネル１６に表示されるボタンを押操作することにより、その押操作が操作パネル１６に受け付けられて、その押操作に応じた信号が操作パネル１６から出力される。
【００２６】
ＮＦＣインタフェース１７は、ＮＦＣよる無線通信のためのインタフェースである。ＮＦＣは、国際規格であるＩＳＯ／ＩＥＣ１４４４３、ＩＳＯ／ＩＥＣ１８０９２などに対応する無線通信技術であり、１３．５６ＭＨｚ帯の通信周波数を利用する。ＮＦＣインタフェース１７は、筐体の外側に臨んで配置されるタッチ部を有している。ＩＣカード５がタッチ部にタッチされると、そのＩＣカード５とＮＦＣインタフェース１７との間でＮＦＣ通信が確立されてデータ通信が可能となる。ＩＣカード５のタッチは、ＩＣカード５をタッチ部に近接ないし接触させる行為であり、ＩＣカード５をタッチ部にかざす行為と言い換えることができる。
【００２７】
ＭＦＰ２は、制御部２１、フラッシュメモリやＥ２ＰＲＯＭなどのデータの書き換えが可能な不揮発性メモリ２２（記憶部の一例）およびＳＤＲＡＭなどの揮発性メモリ２３を備えている。画像形成部１１、画像読取部１２、ＬＡＮインタフェース１３、ＦＡＸインタフェース１４、ＵＳＢインタフェース１５、操作パネル１６、ＮＦＣインタフェース１７、制御部２１、不揮発性メモリ２２および揮発性メモリ２３は、バス２４を介して、データ通信可能に接続されている。
【００２８】
制御部２１は、ＣＰＵ（Central Processing Unit）を内蔵している。制御部２１は、制御部２１に入力される信号などに基づいて、各種の処理のためのプログラムを実行することにより、画像形成部１１、画像読取部１２、ＬＡＮインタフェース１３、ＦＡＸインタフェース１４、ＵＳＢインタフェース１５、操作パネル１６およびＮＦＣインタフェース１７などの各部を制御する。
【００２９】
制御部２１は、ＣＰＵの他に、専用のエンジンインタフェース回路、画像処理回路等を有している。ＣＰＵは、設定情報に基づき、エンジンインタフェース回路を介して、画像形成エンジン及びスキャンエンジンをそれぞれ制御する。また、ＣＰＵは、設定情報に基づき、画像処理回路を制御する。画像処理回路は、画像形成部１１へ出力する回路を生成する回路を含む。画像処理回路は、画像読取部１２から入力された画像データの加工を行う回路を含む。
【００３０】
不揮発性メモリ２２には、制御部２１によって実行されるプログラムおよび各種のデータなどが記憶されている。
【００３１】
揮発性メモリ２３は、制御部２１がプログラムを実行する際のワークエリアとして使用される。
【００３２】
＜ショートカット登録＞
ＭＦＰ２では、詳細機能に関する各種の設定の登録（以下、「ショートカット登録」という。）が可能であり、詳細機能の実行に際してショートカット登録されている設定を呼び出すことが可能である。
【００３３】
ショートカット登録される各種の設定に係る設定情報は、図２に示されるように、ＩＣカード５のカード番号およびショートカット名と対応づけて、不揮発性メモリ２２に記憶される。カード番号は、ＩＣカード５に固有の番号であり、ＩＣカード５の識別情報である。ショートカット名は、操作パネル１６に表示されるショートカットキー４２（図１１参照）の名称である。
【００３４】
図２に示される例では、カード番号「１００１」およびショートカット名「ＳｃａｎＴｏＵＳＢ」と対応づけて、設定情報として、詳細機能の動作内容「スキャンした画像データをＵＳＢ保存」および設定内容が不揮発性メモリ２２に記憶されている。動作内容「スキャンした画像データをＵＳＢ保存」は、スキャン機能により原稿を読み取り、その読み取った画像データをＵＳＢインタフェース１５を介してＵＳＢデバイスに保存するという内容を表す。設定内容には、ファイル形式、両面読取、解像度およびカラー／モノクロ読取についての設定が含まれる。画像データのファイル形式について、「ＰＤＦマルチページ」が設定されている。原稿の両面を読み取る両面読取について、両面読取の非実行を表す「オフ」が設定されている。読み取りの解像度について、「２００ｄｐｉ」が設定されている。原稿をカラーで読み取るカラー読取およびモノクロで読み取るモノクロ読取のいずれを実行するかについて、カラー読取の実行を表す「カラー」が設定されている。
【００３５】
カード番号「１００２」およびショートカット名「Ｃｏｐｙ」と対応づけて、設定情報として、詳細機能の動作内容「コピー」および設定内容が不揮発性メモリ２２に記憶されている。動作内容「コピー」は、スキャン機能により原稿を読み取り、プリント機能によりその読み取った画像データに係る画像をシートに形成するという内容を表す。設定内容には、両面読取、両面印刷、解像度およびカラー／モノクロコピーについての設定が含まれる。両面読取について、両面読取の実行を表す「オン」が設定されている。また、画像データに係る画像をシートの両面に形成する両面印刷について、両面印刷の実行を表す「オン」が設定されている。読み取りおよび画像形成の解像度について、「３００ｄｐｉ」が設定されている。原稿をカラーで読み取ってカラー画像をシートに形成するカラーコピーおよび原稿をモノクロで読み取ってモノクロ画像をシートに形成するモノクロコピーのいずれを実行するかについて、カラーコピーの実行を表す「カラー」が設定されている。
【００３６】
カード番号「１００３」およびショートカット名「ＳｃａｎＴｏＥｍａｉｌ」と対応づけて、設定情報として、詳細機能の動作内容「スキャンした画像データをＥｍａｉｌ送信」および設定内容が不揮発性メモリ２２に記憶されている。動作内容「スキャンした画像データをＥｍａｉｌ送信」は、スキャン機能により原稿を読み取り、その読み取った画像データを電子メールで送信するという内容を表す。設定内容には、ファイル形式、両面読取、解像度、カラー／モノクロ読取およびメール宛先についての設定が含まれる。画像データのファイル形式について、「ＴＩＦＦ」が設定されている。両面読取について、両面読取の実行を表す「オン」が設定されている。読み取りの解像度について、「３００ｄｐｉ」が設定されている。カラー読取およびモノクロ読取のいずれを実行するかについて、モノクロ読取の実行を表す「モノクロ」が設定されている。また、電子メールの宛先について、「ａａａ＠ｂｂｂ．ｃｏ．ｊｐ」が設定されている。
【００３７】
＜情報管理テーブル＞
また、不揮発性メモリ２２には、情報管理テーブルが記憶される。
【００３８】
情報管理テーブルでは、図３に示されるように、ユーザを識別するユーザ名と、ユーザがＭＦＰ２のログインに使用するパスワードとが対応づけられている。また、ユーザが所有するＩＣカード５をログインに使用するログイン用としてＭＦＰ２に登録した場合、情報管理テーブルでは、そのＩＣカード５のカード番号がユーザの認証情報の一例であるユーザ名およびパスワードとさらに対応づけられる。
【００３９】
たとえば、図３に示される情報管理テーブルでは、ユーザ名「ＵＳＥＲＡ」とパスワード「１２３４」とが対応づけられ、それらにカード番号「１００１」がさらに対応づけられている。また、ユーザ名「ＵＳＥＲＢ」とパスワード「５６７８」とが対応づけられ、それらにカード番号「１００２」がさらに対応づけられている。ユーザ名「ＵＳＥＲＣ」とパスワード「２３４５」とが対応づけられているが、それらにカード番号は対応づけられてない。
【００４０】
＜登録処理＞
ＭＦＰ２では、ショートカット登録およびカード番号の登録のため、制御部２１により、図４Ａ、図４Ｂおよび図４Ｃに示される登録処理が実行される。
【００４１】
登録処理では、制御部２１は、まず、ユーザによるＩＣカード５を用いたログイン操作（以下、この操作を「カードログイン操作」という。）が行われたか否かを判断する（Ｓ１１）。カードログイン操作では、ユーザのＩＣカード５がＮＦＣインタフェース１７のタッチ部にタッチされる。制御部２１は、カードログイン操作が行われていないと判断した場合（Ｓ１１：ＮＯ）、次に、操作パネル１６を用いたログイン操作（以下、この操作を「パネルログイン操作」という。）が行われたか否かを判断する（Ｓ１２）。
【００４２】
なお、これらの判断の順序が逆にされてもよい。すなわち、制御部２１は、パネルログイン操作が行われたか否かを先に判断し、パネルログイン操作が行われていないと判断した場合に、カードログイン操作が行われたか否かを判断してもよい。
【００４３】
ログイン操作の開始前、操作パネル１６には、未ログイン画面が表示されている。未ログイン画面では、図５に示されるように、各種の詳細機能に対応した複数の機能キー３１が横並びで表示される。具体的には、図５に示される未ログイン画面では、３個の機能キー３１が左右一列に並べて表示されている。左の機能キー３１は、スキャン機能により原稿を読み取り、その読み取った画像データをインターネット上のサーバにアップロードする機能に対応している。中央の機能キー３１は、スキャン機能により原稿を読み取り、その読み取った画像データをＵＳＢインタフェース１５に接続されたＰＣに送信する機能に対応している。右の機能キー３１は、スキャン機能により原稿を読み取り、その読み取った画像データをＬＡＮインタフェース１３にＬＡＮ３を介して接続されたＰＣに送信する機能に対応している。また、未ログイン画面の上部には、ユーザ名表示ボックス３２が表示される。ユーザ名表示ボックス３２には、ＭＦＰ２にログイン状態のユーザ名が表示される。ユーザが未ログイン状態であるときには、たとえば、「Ｐｕｂｌｉｃ」の文字が表示される。さらに、未ログイン画面の左下角部に、ショートカット選択画面表示キー３３が表示される。
【００４４】
パネルログイン操作では、未ログイン画面でユーザ名表示ボックス３２が押操作される。この押操作に応じて、制御部２１は、操作パネル１６の表示画面を未ログイン画面からユーザメニュー画面に切り替える。ユーザメニュー画面では、たとえば、図６に示されるように、ユーザ切替キー３４が表示される。
【００４５】
ユーザメニュー画面でユーザ切替キー３４が押操作されると、制御部２１は、操作パネル１６の表示画面をユーザメニュー画面からユーザ切替画面に切り替える。ユーザ切替画面では、図７に示されるように、３個のユーザ名キー３５が上下に並べて表示される。最上のユーザ名キー３５には、ユーザＡのユーザ名「ＵＳＥＲＡ」が表示されている。中央のユーザ名キー３５には、ユーザＢのユーザ名「ＵＳＥＲＢ」が表示されている。最下のユーザ名キー３５には、ユーザＣのユーザ名「ＵＳＥＲＣ」が表示されている。
【００４６】
ユーザ切替画面でユーザ名キー３５の１つが押操作されると、制御部２１は、操作パネル１６の表示画面をユーザ切替画面からパスワード（ＰＩＮ）入力画面に切り替える。パスワード入力画面では、図８に示されるように、その上部に、パスワード入力ボックス３６が表示される。パスワード入力ボックス３６の下側には、テンキー３７が表示される。パスワード入力ボックス３６の右側には、バックスペースキー３８が表示される。また、パスワード入力画面の右下角部には、ＯＫキー３９が表示される。テンキー３７が押操作されると、パスワード入力ボックス３６にパスワードを構成する数字が入力される。バックスペースキー３８の押操作により、最後に入力された数字が消去される。
【００４７】
パスワードがパスワード入力ボックス３６に入力された後、ＯＫキー３９が押操作されると、パネルログイン操作が終了となる。
【００４８】
制御部２１は、パネルログイン操作が行われたと判断した場合（Ｓ１２：ＹＥＳ）、パネルログイン操作に応じたログイン処理を実行する（Ｓ１３）。このログイン処理では、制御部２１は、情報管理テーブルを参照して、ユーザ切替画面で押操作されたユーザ名キー３５に対応するユーザのユーザ名とパスワード入力画面で入力されたパスワードとの組合せが情報管理テーブルに含まれているか否かを判断する。そして、ユーザ名とパスワードとの組合せがユーザ管理テーブルに含まれている場合、制御部２１は、ユーザをログイン状態とし、ユーザ名とパスワードとの組合せがユーザ管理テーブルに含まれていない場合、ユーザをログイン状態とせずに、ログインに失敗したことを通知する画面を操作パネル１６に表示させる。
【００４９】
制御部２１は、ユーザをログイン状態とした場合、操作パネル１６の表示をパスワード入力画面からログイン中画面に切り替える。ログイン中画面の構成は、図９に示されるように、未ログイン画面の構成と同じであり、ログイン中画面では、ユーザ名表示ボックス３２にログイン状態のユーザ名、たとえば、ユーザＡがログイン状態である場合、そのユーザ名「ＵＳＥＲＡ」が表示される。
【００５０】
ログイン処理後、制御部２１は、ログイン処理の終了時、つまりユーザがログイン状態になった時点から一定時間が経過したか否かを判断する（Ｓ１４）。ログイン中画面でユーザ名表示ボックス３２が押操作されると、図１０に示される機能ロック画面が表示される。制御部２１は、一定時間が経過していないと判断した場合（Ｓ１４：ＮＯ）、機能ロック画面でカード情報編集キー４１が押操作されたか否かを判断する（Ｓ１５）。機能ロック画面では、カード情報編集キー４１の他に、ユーザ切替キーなどの選択キー４２が上下に並べて表示される。
【００５１】
制御部２１は、カード情報編集キー４１が押操作されていないと判断した場合（Ｓ１５：ＮＯ）、ログイン中画面でショートカット選択画面表示キー３３が押操作されて、その押操作に応じて操作パネル１６に表示されるショートカット選択画面でショートカットキー４２が押操作されたか否かを判断する（Ｓ１６）。ショートカット選択画面では、図１１に示されるように、複数のショートカット割当キー４３が行列状に並べて表示される。具体的には、図１１に示されるショートカット選択画面では、６個のショートカット割当キー４３が２行×３列の行列状に並べて表示されている。ショートカット割当キー４３には、「＋」の記号が表示されている。ショートカット割当キー４３にショートカット登録が割り当てられることにより、ショートカット割当キー４３がショートカットキー４２に変更され、その割り当てられたショートカット登録のショートカット名がショートカットキー４２に表示される。図１１示されるショートカット選択画面では、左上のショートカット割当キー４３がショートカットキー４２に変更され、ショートカットキー４２にショートカット名「ＳｃａｎＴｏＵＳＢ」が表示されている。
【００５２】
制御部２１は、ショートカットキー４２が押操作されたと判断した場合（Ｓ１６：ＹＥＳ）、ショートカット画面を操作パネル１６に表示させる（Ｓ１７）。ショートカット画面では、図１２に示されるように、ショートカット登録された各種の設定が表示される。図１２に示されるショートカット画面では、ショートカット名「ＳｃａｎＴｏＵＳＢ」のショートカット登録の設定内容、画像データのファイル形式が「ＰＤＦマルチページ」に設定され、両面読取が「オフ」に設定され、読み取りの解像度が「２００ｄｐｉ」が設定され、カラー読取の実行を表す「カラー」が設定されていることが表示されている。また、ショートカット画面の最下部には、オプションキー４４、カード登録キー４５およびスタートキー４６が横並びで表示されている。
【００５３】
一方、制御部２１は、ショートカット選択画面でショートカットキー４２が押操作されていないと判断した場合（Ｓ１６：ＮＯ）、ショートカット割当キー４３が押操作されたか否かを判断する（Ｓ１８）。制御部２１は、ショートカット割当キー４３が押操作されていないと判断した場合には（Ｓ１８：ＮＯ）、ユーザがログイン状態になった時点から一定時間が経過したか否かを再び判断する（Ｓ１４）。
【００５４】
制御部２１は、ショートカット割当キー４３が押操作されたと判断した場合（Ｓ１８：ＹＥＳ）、新規のショートカット登録を行う（Ｓ１９）。
【００５５】
ショートカット登録に係る処理では、制御部２１は、まず、第１内容選択画面を操作パネル１６に表示させる。第１内容選択画面では、図１３に示されるように、複数の第１内容選択キー５１が縦並びで表示される。第１内容選択キー５１は、詳細機能の動作内容の基本的な部分、つまり基本動作をユーザが選択して設定するためのキーである。第１内容選択キー５１には、スキャン動作に対応する「Ｓｃａｎ」やファックス動作に対応する「Ｆａｘ」などの動作名が表示されている。
【００５６】
第１内容選択キー５１のいずれか１つが押操作されると、制御部２１は、操作パネル１６の表示を第１内容選択画面から第２内容選択画面に切り替える。第２内容選択画面では、図１４に示されるように、複数の第２内容選択キー５２が縦並びで表示される。第２内容選択キー５２は、第１内容選択画面での第１内容選択キー５１の押操作により設定された基本動作に付随する動作をユーザが選択して設定するためのキーである。基本動作とその基本動作に付随する動作が設定されることにより、詳細機能の動作内容が決定される。図１４に示される第２内容選択画面は、第１内容選択画面でスキャン動作に係る第１内容選択キー５１が押操作された場合に表示される画面であり、第２内容選択キー５２の押操作により、スキャン動作により読み取られた画像データの送信先を選択して設定することができる。
【００５７】
第２内容選択キー５２のいずれか１つが押操作されると、制御部２１は、操作パネル１６の表示を第２内容選択画面から設定内容変更画面に切り替える。設定内容変更画面では、図１５に示されるように、第１内容選択キー５１の押操作により設定された基本動作と第２内容選択キー５２の押操作により設定された動作との組合せにより決定される動作内容に対応するショートカット名が最上部に表示されるとともに、その動作内容に応じた設定内容の標準的なものが表示される。図１５に示される設定内容変更画面では、画像データのファイル形式が「ＰＤＦマルチページ」に設定され、両面読取の非実行を表す「オフ」が設定され、読み取りの解像度が「２００ｄｐｉ」に設定され、カラー読取の実行を表す「カラー」が設定されていることが標準的な設定内容として表示される。また、設定内容変更画面の最下部には、オプションキー５３およびショートカット保存キー５４が横並びで表示されている。オプションキー５３が押操作されると、制御部２１は、ユーザが設定内容を変更可能な画面（図示せず）を操作パネル１６に表示させる。その画面で設定内容が変更された後、その変更を反映させる指示が操作パネル１６から入力されると、制御部２１は、設定内容が変更された設定内容変更画面を操作パネル１６に表示させる。
【００５８】
設定内容変更画面でショートカット保存キー５４が押操作されると、制御部２１は、操作パネル１６の表示を設定内容変更画面から設定内容確認画面に切り替える。設定内容確認画面では、図１６に示されるように、ショートカット登録対象の設定内容、つまり設定内容変更画面でショートカット保存キー５４が押操作されるときに表示されていた設定内容が設定内容表示ウィンドウ５５に表示される。また、設定内容確認画面の右下角部には、ＯＫキー５６が表示される。
【００５９】
設定内容確認画面でＯＫキー５６が押操作されると、制御部２１は、設定内容表示ウィンドウ５５に表示されている設定内容をショートカット名と対応づけて、不揮発性メモリ２２に記憶させる。これにより、ショートカット選択画面でショートカット割当キー４３が押操作されたことに対する新規のショートカット登録が完了となる。これに応じて、制御部２１は、設定内容確認画面をショートカット選択画面に切り替える。図１７に示されるショートカット選択画面では、ショートカット登録前のショートカット選択画面で押操作されたショートカット割当キー４３がショートカットキー４２に変更され、そのショートカットキー４２にショートカット名が表示される。前述の図１５および図１６に示される例であれば、通常、ショートカット名「ＳｃａｎＴｏＵＳＢ」が表示されるが、同一のショートカット名が表示されたショートカットキー４２が既に存在するので、図１７に示される例では、ショートカット名「Ｓｈｏｒｔｃｕｔ２」が表示されている。
【００６０】
こうして新規のショートカット登録が行われた後、または、新規のショートカット登録が行われずに、ショートカット選択画面が操作パネル１６に表示されて、ショートカット選択画面でショートカットキー４２が押操作され、これに応じて操作パネル１６にショートカット画面が表示されると、制御部２１は、カード登録キー４５が押操作されたか否かを判断する（Ｓ２０）。制御部２１は、カード登録キー４５が押操作されていないと判断した場合には（Ｓ２０：ＮＯ）、ユーザがログイン状態になった時点から一定時間が経過したか否かを再び判断する（Ｓ１４）。
【００６１】
制御部２１は、カード登録キー４５が押操作されたと判断した場合（Ｓ２０：ＹＥＳ）、カード登録画面を操作パネル１６に表示させる（Ｓ２１）。カード登録画面では、図１８に示されるように、ＯＫキー６１が表示される。また、ＯＫキー６１の上方に、ログイン状態のユーザのユーザ名とともに、ユーザのＩＣカード５のタッチおよびＯＫキー６１の押操作を指示するメッセージが表示される。
【００６２】
その後、制御部２１は、ＩＣカード５がＮＦＣインタフェース１７のタッチ部にタッチされたか否かを判断する（図４ＢのＳ２２）。制御部２１は、ＩＣカード５がタッチされていないと判断した場合（Ｓ２２：ＮＯ）、カード登録画面の表示から一定時間が経過したか否かを判断する（Ｓ２３）。一定時間が経過していなければ（Ｓ２３：ＮＯ）、制御部２１は、ＩＣカード５がＮＦＣインタフェース１７のタッチ部にタッチされたか否かを再び判断する（Ｓ２２）。制御部２１は、カード登録画面の表示から一定時間が経過したと判断した場合には（Ｓ２３：ＹＥＳ）、ログアウト処理を実行し（Ｓ２４）、ユーザのログイン状態を解消し、未ログイン画面を操作パネル１６に表示させる。この場合、登録処理は最初に戻る。
【００６３】
カード登録画面の表示から一定時間が経過するまでに、ＩＣカード５がＮＦＣインタフェース１７のタッチ部にタッチされた場合（Ｓ２２：ＹＥＳ）、制御部２１は、そのタッチされたＩＣカード５が他のユーザのログイン用として登録済みか否かを判断する（Ｓ２５）。ＩＣカード５が他のユーザのログイン用として登録済みか否かは、そのＩＣカード５のカード番号が不揮発性メモリ２２に記憶されている情報管理テーブルにおいてログイン状態のユーザのユーザ名とは別のユーザ名と対応づけられているか否かにより判断することができる。
【００６４】
制御部２１は、ＩＣカード５が他のユーザのログイン用として登録済みであると判断した場合（Ｓ２５：ＹＥＳ）、既使用通知画面を操作パネル１６に表示させる（Ｓ２６）。既使用通知画面では、図１９に示されるように、「他のユーザに使用されているカードのため登録できません」というメッセージが表示される。既使用通知画面の表示後、制御部２１は、ＩＣカード５がＮＦＣインタフェース１７のタッチ部にタッチされたか否かを再び判断する（Ｓ２２）。
【００６５】
制御部２１は、ＩＣカード５が他のユーザのログイン用として登録済みでないと判断した場合（Ｓ２５：ＮＯ）、ＩＣカード５にショートカットが未登録であるか否かを判断する（Ｓ２７）。ＩＣカード５のカード番号がショートカット登録と対応づけられていない場合、つまりＩＣカード５のカード番号がショートカット登録されている設定情報およびショートカット名と対応づけて不揮発性メモリ２２に記憶されていない場合、制御部２１は、ＩＣカード５にショートカットが未登録であると判断する。一方、ＩＣカード５のカード番号がショートカット登録と既に対応づけられている場合、つまりＩＣカード５のカード番号がショートカット登録されている設定情報およびショートカット名と対応づけて不揮発性メモリ２２に記憶されている場合、制御部２１は、ＩＣカード５にショートカットが未登録でないと判断する。
【００６６】
制御部２１は、ＩＣカード５にショートカットが未登録ではないと判断した場合（Ｓ２７：ＮＯ）、既登録通知画面を操作パネル１６に表示させる（Ｓ２８）。既登録通知画面では、図２０に示されるように、Ｙｅｓキー６２およびＮｏキー６３が横並びで表示されるとともに、それらの上方に、「このカードには既にショートカットが登録されています。上書きしますか？」のメッセージが表示される。
【００６７】
既登録通知画面の表示後、制御部２１は、ＩＣカード５にショートカットを上書きで登録するか否かを判断する（Ｓ２９）。既登録通知画面でＹｅｓキー６２が押操作された場合、制御部２１は、ＩＣカード５にショートカットを上書きで登録と判断する。一方、既登録通知画面でＮｏキー６３が押操作された場合、制御部２１は、ＩＣカード５にショートカットを上書きで登録しないと判断する。制御部２１は、ＩＣカード５にショートカットを上書きで登録しないと判断した場合（Ｓ２９：ＮＯ）、ユーザがログイン状態になった時点から一定時間が経過したか否かを再び判断する（図４ＡのＳ１４）。
【００６８】
制御部２１は、ＩＣカード５にショートカットを上書きで登録すると判断した場合（Ｓ２９：ＹＥＳ）、または、ＩＣカード５にショートカットが未登録であると判断した場合（Ｓ２７：ＹＥＳ）、ＩＣカード５にショートカットを登録する（Ｓ３０）。すなわち、制御部２１は、ＩＣカード５のカード番号をカード登録画面の前に操作パネル１６に表示されていたショートカット画面に対応する設定情報およびショートカット名と対応づけて不揮発性メモリ２２に記憶させる（Ｓ３０）。
【００６９】
その後、制御部２１は、ＩＣカード５がログイン状態のユーザのログイン用として登録済みか否かを判断する（Ｓ３１）。ＩＣカード５がログイン状態のユーザのログイン用として登録済みか否かは、そのＩＣカード５のカード番号が不揮発性メモリ２２に記憶されている情報管理テーブルにおいてログイン状態のユーザのユーザ名と対応づけられているか否かにより判断することができる。
【００７０】
制御部２１は、ＩＣカード５がログイン状態のユーザのログイン用として登録済みと判断した場合（Ｓ３１：ＹＥＳ）、ユーザがログイン状態になった時点から一定時間が経過したか否かを再び判断する（図４ＡのＳ１４）。
【００７１】
制御部２１は、ＩＣカード５がログイン状態のユーザのログイン用として登録済みでないと判断した場合（Ｓ３１：ＮＯ）、ログイン登録確認画面を操作パネル１６に表示させて、ＩＣカード５をログイン状態のユーザのログイン用として登録するか否かを判断する（Ｓ３２）。ログイン登録確認画面には、図２１に示されるように、Ｙｅｓキー６４およびＮｏキー６５が横並びで表示されるとともに、それらの上方に、「このカードをログインにも使用しますか？」のメッセージが表示される。
【００７２】
ログイン登録確認画面でＹｅｓキー６４が押操作された場合、制御部２１は、ＩＣカード５をログイン状態のユーザのログイン用として登録すると判断し（Ｓ３２：ＹＥＳ）、ＩＣカード５をログイン状態のユーザのログイン用として登録する（Ｓ３３）。すなわち、制御部２１は、不揮発性メモリ２２に記憶されている情報管理テーブルに、ＩＣカード５のカード番号をログイン状態のユーザのユーザ名と対応づけて追加する。その後、制御部２１は、ユーザがログイン状態になった時点から一定時間が経過したか否かを再び判断する（図４ＡのＳ１４）。
【００７３】
ログイン登録画面でＮｏキー６５が押操作された場合、制御部２１は、ＩＣカード５をログイン状態のユーザのログイン用として登録しないと判断し（Ｓ３３：ＹＥＳ）、ＩＣカード５をログイン状態のユーザのログイン用として登録せずに、ユーザがログイン状態になった時点から一定時間が経過したか否かを再び判断する（図４ＡのＳ１４）。
【００７４】
一方、制御部２１は、ログイン中画面でカード情報編集キー４１が押操作されたと判断した場合（図４ＡのＳ１５：ＹＥＳ）、ログイン状態のユーザのＩＣカード５がログイン用として登録されているか否かを判断する（図４ＣのＳ３４）。不揮発性メモリ２２に記憶されている情報管理テーブルに、ログイン状態のユーザのユーザ名と対応づけられたカード番号が存在しない場合、制御部２１は、ログイン状態のユーザのＩＣカード５がログイン用として登録されていないと判断し（Ｓ３４：ＮＯ）、ユーザがログイン状態になった時点から一定時間が経過したか否かを再び判断する（図４ＡのＳ１４）。
【００７５】
不揮発性メモリ２２に記憶されている情報管理テーブルに、ログイン状態のユーザのユーザ名と対応づけられたカード番号が存在する場合、制御部２１は、ログイン状態のユーザのＩＣカード５がログイン用として登録されていると判断する（Ｓ３４：ＹＥＳ）。この場合、制御部２１は、ログイン状態のユーザのＩＣカード５にショートカットが登録されているか否かを判断する（Ｓ３５）。ＩＣカード５のカード番号がショートカット登録されている設定情報およびショートカット名と対応づけて不揮発性メモリ２２に記憶されている場合、制御部２１は、ＩＣカード５にショートカットが登録されていると判断する。一方、ＩＣカード５のカード番号がショートカット登録されている設定情報およびショートカット名と対応づけて不揮発性メモリ２２に記憶されていない場合、制御部２１は、ＩＣカード５にショートカットが登録されていないと判断する。
【００７６】
制御部２１は、ログイン状態のユーザのＩＣカード５にショートカットが登録されていると判断した場合（Ｓ３５：ＹＥＳ）、そのショートカットの登録の削除をユーザに確認するショートカット登録削除確認画面を操作パネル１６に表示させる（Ｓ３６）。ショートカット登録削除確認画面では、図として示されていないが、たとえば、ＹｅｓキーおよびＮｏキーが横並びで表示されるとともに、それらの上方に、「ショートカットの登録を削除しますか？」のメッセージが表示される。
【００７７】
その後、制御部２１は、ショートカットの登録を削除するか否かを判断する（Ｓ３７）。ショートカット登録削除確認画面でＹｅｓキーが押操作された場合、制御部２１は、ショートカットの登録の削除を判断し（Ｓ３７：ＹＥＳ）、不揮発性メモリ２２にログイン状態のユーザのＩＣカード５に対するショートカットの登録を削除する（Ｓ３８）。具体的には、不揮発性メモリ２２にログイン状態のユーザのＩＣカード５のカード番号と対応づけて設定情報およびショートカット名が記憶されている状態から、その対応づけを解除して、設定情報およびショートカット名から切り離されたＩＣカード５のカード番号を不揮発性メモリ２２から消去する。そして、制御部２１は、ログイン登録削除確認画面を操作パネル１６に表示させる（Ｓ３９）。一方、ショートカット登録削除確認画面でＮｏキーが押操作された場合、制御部２１は、ショートカットの登録を削除しないと判断し（Ｓ３７：ＮＯ）、ショートカットの登録を削除せずに、ログイン登録削除確認画面を操作パネル１６に表示させる（Ｓ３９）。また、制御部２１は、ログイン状態のユーザのＩＣカード５にショートカットが登録されていないと判断した場合（Ｓ３５：ＮＯ）、ログイン登録削除確認画面を操作パネル１６に表示させる（Ｓ３９）。
【００７８】
ログイン登録削除確認画面では、図に示されていないが、たとえば、ＹｅｓキーおよびＮｏキーが横並びで表示されるとともに、それらの上方に、「カードのログイン用としての登録を削除しますか？」のメッセージが表示される。ログイン登録削除確認画面でＹｅｓキーが押操作された場合、制御部２１は、ログイン状態のユーザのＩＣカード５のログイン用としての登録の削除を判断する（Ｓ４０：ＹＥＳ）。この場合、制御部２１は、ＩＣカード５のログイン用としての登録を削除した場合にもショートカットが有効であるか否かを判断する（Ｓ４１）。ＩＣカード５のログイン用としての登録が削除されると、そのＩＣカード５の識別情報であるカード番号に紐づけられたショートカットが任意のユーザには使用する権限のないショートカット、つまり特定の権限が付与されたユーザしか使用できないショートカットである場合、そのショートカットが無効となる。逆に、ＩＣカード５のカード番号に紐づけられたショートカットが任意のユーザに使用の権限があるショートカットである場合、ＩＣカード５のログイン用としての登録が削除されても、そのショートカットは有効である。たとえば、特定の権限が付与されていないユーザ（Ｐｕｂｌｉｃ）がスキャン機能を使用できず、スキャン機能の使用権限を有するユーザＡがショートカット名「ＳｃａｎＴｏＵＳＢ」のショートカットを登録していた場合に、ユーザＡのＩＣカード５のログイン用としての登録が削除されると、そのショートカットが無効となる。
【００７９】
そして、制御部２１は、ＩＣカード５のログイン用としての登録の削除した場合にもショートカットが有効であると判断した場合（Ｓ４１：ＹＥＳ）、不揮発性メモリ２２に記憶されている情報管理テーブルからログイン状態のユーザのユーザ名と対応づけられたカード番号を削除することにより、ログイン用としての登録を削除する（Ｓ４２）。その後、制御部２１は、ユーザがログイン状態になった時点から一定時間が経過したか否かを再び判断する（図４ＡのＳ１４）。
【００８０】
制御部２１は、ＩＣカード５のログイン用としての登録を削除した場合にはショートカットが無効になると判断した場合（Ｓ４１：ＮＯ）、ＩＣカード５のログイン用としての登録の削除によりショートカットが無効になる旨の警告を操作パネル１６に表示させる（Ｓ４３）。その後、制御部２１は、ユーザがログイン状態になった時点から一定時間が経過したか否かを再び判断する（図４ＡのＳ１４）。
【００８１】
また、制御部２１は、ユーザによるカードログイン操作が行われたと判断した場合（Ｓ１１：ＹＥＳ）、カードログイン操作に応じたログイン処理を実行する（図４ＡのＳ４４）。このログイン処理では、制御部２１は、ＮＦＣインタフェース１７のタッチ部にタッチされたＩＣカード５から読み取ったカード番号が情報管理テーブルに含まれているか否かを判断する。そして、カード番号がユーザ管理テーブルに含まれている場合、制御部２１は、ユーザをログイン状態とし、カード番号がユーザ管理テーブルに含まれていない場合、ユーザをログイン状態とせずに、ログインに失敗したことを通知する画面を操作パネル１６に表示させる。
【００８２】
ログイン処理の実行後、制御部２１は、カードログイン操作に使用されたＩＣカード５にショートカットが登録されているか否かを判断する（Ｓ４５）。ＩＣカード５のカード番号がショートカット登録されている設定情報およびショートカット名と対応づけて不揮発性メモリ２２に記憶されている場合、制御部２１は、ＩＣカード５にショートカットが登録されていると判断する（Ｓ４５：ＹＥＳ）。この場合、制御部２１は、画像形成部１１および画像読取部１２などを制御して、ＩＣカード５のカード番号と対応づけられた設定情報に従い、詳細機能を実行する（Ｓ４６：ショートカット実行）。その後、制御部２１は、ユーザがログイン状態になった時点から一定時間が経過したか否かを判断する（Ｓ１４）。
【００８３】
ＩＣカード５のカード番号がショートカット登録されている設定情報およびショートカット名と対応づけて不揮発性メモリ２２に記憶されていない場合、制御部２１は、ＩＣカード５にショートカットが登録されていないと判断して（Ｓ４５：ＮＯ）、ユーザがログイン状態になった時点から一定時間が経過したか否かを判断する（Ｓ１４）。
【００８４】
制御部２１は、ユーザがログイン状態になった時点から一定時間が経過したと判断した場合には（Ｓ１４：ＹＥＳ）、ログアウト処理を実行し（Ｓ４７）、ユーザのログイン状態を解消し、未ログイン画面を操作パネル１６に表示させる。この場合、登録処理は最初に戻る。
【００８５】
＜作用効果＞
以上のように、不揮発性メモリ２２にショートカット登録された設定情報とＩＣカード５のカード番号とが対応づけて記憶されている状態において、そのカード番号とユーザ名およびパスワードとを対応づけて記憶させることができる。すなわち、柔軟に、設定情報ならびに認証情報であるユーザ名およびパスワードの各情報をカード番号と対応づけて記憶させることができる。
【００８６】
不揮発性メモリ２２にショートカット登録された設定情報とＩＣカード５のカード番号とが対応づけて記憶され、かつ、不揮発性メモリ２２にユーザ名およびパスワードとカード番号とが対応づけて記憶された状態において、ＩＣカード５のログイン用としての登録の解除の指示に応じて、つまりユーザ名と対応づけられたカード番号を削除する指示に応じて、設定情報とカード番号との対応づけが解除されずに、ユーザ名およびパスワードとカード番号との対応づけが解除される。これにより、ショートカット登録された設定情報をカード番号と対応づけられた状態で不揮発性メモリ２２に残すことができる。
【００８７】
ユーザがパネルログイン操作によりログイン状態にあるときに、ログイン登録確認画面でＩＣカード５をログイン用として登録することが選択されると、ＩＣカード５のカード番号がパネルログイン操作により入力されたユーザ名およびパスワードと対応づけて不揮発性メモリ２２に記憶される。そのため、ＩＣカード５のログイン用としての登録のために、ユーザがユーザ名およびパスワードを再度入力する必要がない。よって、ＩＣカード５のログイン用としての登録に要する手間が軽減される。
【００８８】
また、ＩＣカード５をログイン用として登録する際に、ＩＣカード５が他のユーザのログイン用として登録済みである場合には、そのＩＣカード５のログイン用としての登録が許否される。これにより、他のユーザのＩＣカード５がログイン状態のユーザのログイン用として上書きで登録されることを回避できる。
【００８９】
＜変形例＞
以上、本発明の一実施形態について説明したが、本発明は、他の形態で実施することもできる。
【００９０】
たとえば、前述の実施形態では、ショートカット登録された設定情報および情報管理テーブルなどの情報がＭＦＰ２の不揮発性メモリ２２に記憶されているとした。しかし、それらの情報は、ＭＦＰ２と通信可能に接続されたサーバに記憶されていてもよい。
【００９１】
また、前述の実施形態では、外部の媒体の一例がＩＣカード５であり、読取部の一例がＮＦＣ通信でＩＣカード５からカード番号を読み取るＮＦＣインタフェース１７である場合を例にとった。しかし、外部の媒体の一例が磁気カードであり、読取部の一例が磁気カードリーダであってもよい。また、外部の媒体の一例が一次元バーコードを有する媒体であり、読取部の一例がバーコードリーダであってもよい。外部の媒体の一例がＱＲコード（登録商標）を有する媒体であり、読取部の一例がＱＲコードリーダであってもよい。さらには、外部の媒体の一例がＢｌｕｅｔｏｏｔｈ（登録商標）による無線通信が可能な通信端末であり、読取部の一例が外部の媒体の一例がＢｌｕｅｔｏｏｔｈ（登録商標）による無線通信が可能なインタフェースであってもよい。外部の媒体の一例がＷｉ−Ｆｉ（登録商標）による無線通信が可能な通信端末であり、読取部の一例が外部の媒体の一例がＷｉ−Ｆｉ（登録商標）による無線通信が可能なインタフェースであってもよい。
【００９２】
さらに、図１に破線で示されるように、ＮＦＣインタフェース１０１などの読取部が外部装置４に設けられて、その読取部でＩＣカード５からカード番号が読み取られて、カード番号が外部装置４からＭＦＰ２に送信されてもよい。
【００９３】
その他、前述の構成には、特許請求の範囲に記載された事項の範囲で種々の設計変更を施すことが可能である。
【符号の説明】
【００９４】
１：システム
２：ＭＦＰ
５：ＩＣカード
１１：画像形成部
１２：画像読取部
１６：操作パネル
１７，１０１：ＮＦＣインタフェース
２１：制御部
２２：不揮発性メモリ
【図１】
2020141343.tif 000003
【図２】
2020141343.tif 000004
【図３】
2020141343.tif 000005
【図４Ａ】
2020141343.tif 000006
【図４Ｂ】
2020141343.tif 000007
【図４Ｃ】
2020141343.tif 000008
【図５】
2020141343.tif 000009
【図６】
2020141343.tif 000010
【図７】
2020141343.tif 000011
【図８】
2020141343.tif 000012
【図９】
2020141343.tif 000013
【図１０】
2020141343.tif 000014
【図１１】
2020141343.tif 000015
【図１２】
2020141343.tif 000016
【図１３】
2020141343.tif 000017
【図１４】
2020141343.tif 000018
【図１５】
2020141343.tif 000019
【図１６】
2020141343.tif 000020
【図１７】
2020141343.tif 000021
【図１８】
2020141343.tif 000022
【図１９】
2020141343.tif 000023
【図２０】
2020141343.tif 000024
【図２１】
2020141343.tif 000025